(57)【要約】【課題】病人あるいは老人等の介護用等に使用できる、清潔でかつ簡便に取り扱うことができる排尿装置を提供する。【解決手段】駆動モータ１６、給水ポンプ１８および排水ポンプ２０が収納された携帯型の収納ボックス１０と、前記給水ポンプ１８および排水ポンプ２０にそれぞれ接続された送水管２６および排水管２７が連通して設けられた排尿器５０とを備えた排尿装置であって、前記給水ポンプ１８の吸引側に洗浄水貯溜タンク２５が連通して設けられるとともに、前記排水ポンプ２０の排出側に排水タンク３２が連通して設けられ、前記排尿器５０が、端部が楕円形状に開口する筒体に形成され、前記送水管２６に連通して前記送水管から送出される洗浄水が吐出される吐出口５４が内面に開口して設けられた筒部５２と、該筒部５２に接続され前記排水管２７が連通して設けられた、尿をためるための袋体６０とを備えていることを特徴とする。【選択図】          図１
2004242779.tif 000002
【特許請求の範囲】
【請求項１】
駆動モータおよび、駆動モータの本体の両側面から突出する回転駆動軸に各々連結された給水ポンプおよび排水ポンプが収納された携帯型の収納ボックスと、
前記給水ポンプおよび排水ポンプにそれぞれ接続された送水管および排水管が連通して設けられた排尿器とを備えた排尿装置であって、
前記給水ポンプの吸引側に洗浄水貯溜タンクが連通して設けられるとともに、前記排水ポンプの排出側に排水タンクが連通して設けられ、
前記排尿器が、端部が楕円形状に開口する筒体に形成され、前記送水管に連通して前記送水管から送出される洗浄水が吐出される吐出口が内面に開口して設けられた筒部と、
該筒部に接続され前記排水管が連通して設けられた、尿をためるための袋体とを備えていることを特徴とする排尿装置。
【請求項２】
筒部が、先端側が徐々に拡径し、端部の側面形状が中央部が凹む湾曲形状に形成されていることを特徴とする請求項１記載の排尿装置。
【請求項３】
収納ボックスが仕切板により上下に２段に仕切られ、上段に駆動モータおよび給水ポンプ、排水ポンプが配置され、下段に洗浄水貯溜タンクが収納されていることを特徴とする請求項１または２記載の排尿装置。
【請求項４】
給水ポンプがダイヤフラム式ポンプ、排水ポンプが自吸式マグネットポンプからなり、給水ポンプの送水側と排水ポンプの入水側とを連通するバイパス管が設けられていることを特徴とする請求項１、２または３記載の排尿装置。
【発明の詳細な説明】
【０００１】
【発明の属する技術分野】
本発明は携帯用の排尿装置に関する。
【０００２】
【従来の技術】
病人あるいは老人等の介護では排尿、排泄といった排泄作用に関する作業が煩雑である。排尿等の排泄用に移動式のトイレも使用されるのであるが、自分でトイレを使用できない場合には、寝たまま使用する手持ち式の排泄器などが使用される。このような排泄作用の際には、身体が汚れたり、寝具が汚れたりすることから、身体を清潔にしたり、寝具を取り替えたりする必要があり、介護作業を煩瑣なものにしている。
本出願人は先に、排尿などにも使用可能な介護用洗浄器について提案した（特許文献１参照）。この介護用洗浄器では、筒形の吸引器に放水パイプと吸水パイプを接続し、吸引器から微温湯を送出しながら、吸水パイプで吸水して排尿させるように構成したものである。
【０００３】
【特許文献１】
特開２０００−１６６９４７号公報
【０００４】
【発明が解決しようとする課題】
病人あるいは老人等の介護に使用する排尿装置は手近にあって簡単に使用できること、排尿時に身体が汚れたりすることを防止できるといったことが必要であり、携帯等が容易にできることが求められる。また、自動車等で移動する際に渋滞等で病人あるいは老人等が尿意を催した際などにも、排尿装置が手近にあると好都合である。そのような際にも簡便に使用でき、清潔に使用することができ、臭気などが回避できるものであれば、さらに好都合である。
【０００５】
そこで、本発明はこれらの課題を解決すべくなされたものであり、その目的とするところは、コンパクトに形成することができて携帯が容易であり、清潔な排尿が可能で、病人あるいは老人等の介護用あるいは携帯用として好適に使用することができる排尿装置を提供するにある。
【０００６】
【課題を解決するための手段】
本発明は上記目的を達成するため、次の構成を備える。
すなわち、駆動モータおよび、駆動モータの本体の両側面から突出する回転駆動軸に各々連結された給水ポンプおよび排水ポンプが収納された携帯型の収納ボックスと、前記給水ポンプおよび排水ポンプにそれぞれ接続された送水管および排水管が連通して設けられた排尿器とを備えた排尿装置であって、前記給水ポンプの吸引側に洗浄水貯溜タンクが連通して設けられるとともに、前記排水ポンプの排出側に排水タンクが連通して設けられ、前記排尿器が、端部が楕円形状に開口する筒体に形成され、前記送水管に連通して前記送水管から送出される洗浄水が吐出される吐出口が内面に開口して設けられた筒部と、該筒部に接続され前記排水管が連通して設けられた、尿をためるための袋体とを備えていることを特徴とする。
【０００７】
また、前記筒部が、先端側が徐々に拡径し、端部の側面形状が中央部が凹む湾曲形状に形成されていることを特徴とする。これによって男性、女性に共通に使用することができる。
また、前記収納ボックスが仕切板により上下に２段に仕切られ、上段に駆動モータおよび給水ポンプ、排水ポンプが配置され、下段に洗浄水貯溜タンクが収納されていることを特徴とする。これによって、収納ボックスに駆動部およびタンクをコンパクトに収納することが可能となる。
また、給水ポンプがダイヤフラム式ポンプ、排水ポンプが自吸式マグネットポンプからなり、給水ポンプの送水側と排水ポンプの入水側とを連通するバイパス管が設けられていることを特徴とする。これによって自吸式マグネットポンプの空運転が防止でき、所要の送水圧力によって排尿器に送水することが可能となる。
【０００８】
【発明の実施の形態】
以下、本発明の好適な実施の形態について、図面とともに詳細に説明する。
図１は本発明に係る排尿装置の一実施形態の全体構成を示す説明図である。本実施形態の排尿装置は放水および吸水作用をなす駆動部および洗浄水貯溜タンク、排水タンクを備えた収納ボックス１０と、配管３０を介して収納ボックス１０の駆動部と連通させて設けた排尿器５０からなる。
【０００９】
図２に収納ボックス１０の構造を拡大して示す。収納ボックス１０は、前面が開口する箱形に形成され、仕切板１２により上下２段に区分して形成されている。仕切板１２の上部には駆動部が配置され、仕切板１２の下部には洗浄水貯溜タンク２５が配置されている。
１０ａは収納ボックス１０の上部に設けた把手である。収納ボックス１０の前面の上段には透明なプラスチック製の開閉蓋１４が設けられ、常時は開閉蓋１４を降ろして使用される。図は、開閉蓋１４が収納ボックス１０の上段の天部内に収納されている状態である。
【００１０】
収納ボックス１０の上段には、駆動モータ１６、給水ポンプ１８、排水ポンプ２０が設置されている。駆動モータ１６は１台のみで給水ポンプ１８と排水ポンプ２０とを同時に駆動可能としたものである。すなわち、駆動モータ１６はモータ本体の両側面から回転駆動軸を延出し、各々の回転駆動軸に給水ポンプ１８と排水ポンプ２０とを連結し、１台で給水ポンプ１８と排水ポンプ２０とを駆動している。駆動モータ１６は商用電源あるいは自動車のバッテリーを電源として駆動されるもので、収納ボックス１０に駆動モータ１６のＯＮ−ＯＦＦスイッチが設けられている。
【００１１】
なお、本実施形態では給水ポンプ１８にダイヤフラム式ポンプを使用し、排水ポンプ２０に自吸式マグネットポンプを使用している。給水ポンプ１８にダイヤフラム式ポンプを使用しているのは、ダイヤフラム式ポンプは自吸式マグネットポンプにくらべて水の供給圧力が高く、被介護者がベッドに寝た状態で収納ボックス１０を下に置いたような場合でも、排尿器５０に容易に水を送出することができるからである。また、ダイアフラム式ポンプは水を補給せずに運転でき、空運転が可能であり、取り扱いが容易であるという利点がある。
【００１２】
排水ポンプ２０に使用する自吸式マグネットポンプはインペラを内蔵し、駆動モータ１６によりインペラを回転することによって吸水作用をなす。自吸式マグネットポンプはダイアフラム式ポンプにくらべて低廉である。なお、排水ポンプ２０については使用開始時に水を補給する必要があるが、本実施形態の排尿装置は、後述するようにバイパス管により給水ポンプ１８から排水ポンプ２０側へ水を分流させるようにして排水ポンプ２０が空運転とならないようにしている。
駆動モータ１６は、給水ポンプ１８および排水ポンプ２０を回転駆動軸に連結するため、給水ポンプ１８と排水ポンプ２０に挟まれた配置として仕切板１２に固定されている。
【００１３】
給水ポンプ１８は洗浄水貯溜タンク２５に貯溜されている洗浄水を送水管２６に供給する作用をなす。収納ボックス１０の仕切板１２の下段はこの洗浄水貯溜タンク２５を収納するスペースに形成されている。洗浄水貯溜タンク２５は１リットル程度の水あるいは温水を収容できる程度の容積のものを用いる。２３は洗浄水貯溜タンク２５に洗浄水を補給するためのキャップである。２４は洗浄水貯溜タンク２５と給水ポンプ１８とを連通する連通管２１を洗浄水貯溜タンク２５に挿入するための挿入口である。
【００１４】
連通管２１は一端側が給水ポンプ１８に連結されており、洗浄水貯溜タンク２５を使用する際には、洗浄水貯溜タンク２５に洗浄水を補給し、収納ボックス１０の下段に洗浄水貯溜タンク２５を収納した後、挿入口２４から連通管２１を挿入すればよい。なお、実施形態の装置では洗浄水貯溜タンク２５に挿入する連通管２１の先端部を先細状として、連通管２１から給水ポンプ１８に吸引される水量を抑制するようにしている。これは、洗浄水貯溜タンク２５から一気に水が吸引されて洗浄水が急激に減らないようにするためである。
このように、洗浄水貯溜タンク２５は簡単に取り付け、取り外しができ、洗浄水貯溜タンク２５の残り水を捨ててタンク内を洗浄すること、洗浄水を補給するといった操作を簡単に行うことができる。
【００１５】
前述した送水管２６は給水ポンプ１８の給水側に連結され、排水を吸引する排水ポンプ２０にはその吸水側に排水管２７が連結される。送水管２６および排水管２７は仕切板１２の下方から収納ボックス１０の外方に延出する。排水管２７を介して排水ポンプ２０から吸引された排水は、排水ポンプ２０の排水口側から排水タンク３２に排出される。本実施形態では収納ボックス１０の裏面側に排水タンク３２が設置されている。
【００１６】
３４は給水ポンプ１８と排水ポンプ２０とを連絡するバイパス管である。バイパス管３４は給水ポンプ１８から送水管２６へ送水する水の一部を排水ポンプ２０側へ分流させるために設けている。排水ポンプ２０に洗浄水を分流させる理由は、排水ポンプ２０には自吸式ポンプを使用しているから、この自吸式ポンプが空運転されないようにするためである。バイパス管３４から洗浄水をバイパスさせて排水ポンプ２０に供給する方法によれば、自吸式ポンプが空運転されることを確実に防止して、排水ポンプ２０によって好適にかつ確実に排水することが可能となる。３５は給水ポンプ１８から排水ポンプ２０へ洗浄水をバイパスさせる量を調節するために調節弁である。この調節弁３５は洗浄水を分流させる量を調節するためのものであり、必要量を分流させるようにあらかじめ調節されている。調節弁３５はあらかじめ調節しておけば、使用の都度調節する必要はない。
【００１７】
３８は、収納ボックス１０の上段の前部側に配置されているバイパス管３４等の配管部の手前側に配置した遮蔽板である。この遮蔽板３８は収納ボックス１０の開口部を遮蔽して、駆動部等に手が入り込まないように防御する作用をなす。本実施形態では、遮蔽板３８は透明の樹脂製とし、バイパス管３４に水が流れている状態等が外部から視認できるようにしている。
【００１８】
図１に示すように、収納ボックス１０から延出する送水管２６と排水管２７は１本の被覆チューブ３０ａに送水管２６と排水管２７をともに挿通され、１本の配管３０として排尿器５０に接続されている。排尿器５０では送水管２６の端部を筒部５２に接続し、排水管２７を袋体６０に接続して、筒部５２から洗浄水を放射し、袋体６０から排水を吸引するように構成されている。
【００１９】
図４に排尿器５０を拡大して示す。排尿器５０は陰部にあてる側が筒部５２として形成され、筒部５２の基部に袋体６０が接続されたものである。筒部５２は、全体形状が筒形の筒体に形成され、先端側が徐々に拡径して設けられるとともに、端部が楕円形状に開口し、筒体の端部が側面形状で中央部が凹む湾曲形状に形成されている。５３は筒部５２の開口縁に沿って配置したクッション材である。
筒部５２の内面には洗浄水を吐出する吐出口５４が開口して設けられ、この吐出口５４に被覆チューブ３０ａから引き出された送水管２６が連通するように設けられている。
【００２０】
実施形態では、被覆チューブ３０ａから引き出された送水管２６の端部を、筒部５２の開口部の外周を囲むように設けた分岐管２６ａ、２６ｂに接続し、分岐管２６ａ、２６ｂの端部を吐出口５４に連通させるように設けている。５５ａ、５５ｂは分岐管２６ａ、２６ｂに設けた調節弁である。調節弁５５ａ、５５ｂを回すことによって、吐出口５４から吐出する洗浄水の強さを調節することができる。
袋体６０はゴム製で変形自在な袋状に形成されている。排水管２７は袋体６０の底部に水漏れしないようにシールして接続されている。これによって、袋体６０にたまった水（尿）が排水管２７から排水される。
【００２１】
図３は、上記実施形態の排尿装置の流路の構成を示す説明図である。
上述したように、洗浄水貯溜タンク２５に収納された洗浄水は給水ポンプ１８により送水管２６を介して排尿器５０の筒部５２に送出される。筒部５２では、筒部５２の内側面に設けた吐出口５４から洗浄水が筒部５２内に吐出される。
一方、袋体６０に溜まった水（尿）は、排水管２７を介して排水ポンプ２０から排水タンク３２に排出される。
バイパス管３４は給水ポンプ１８から送出される洗浄水を排水ポンプ２０側に分流して、排水ポンプ２０が空運転されないようにしている。なお、調節弁３５は排水ポンプ２０への分流量を調節することで排尿器５０に送出される洗浄水の水量を調節する作用もなす。３６は洗浄水が分流されている状態を外部から視認するために配置した透明管である。
【００２２】
本実施形態の排尿装置を使用するに際しては、筒部５２の開口部のクッション材５３を陰部に当てて、尿が漏れないようにして排尿する。尿は袋体６０に入って溜まるが、袋体６０に溜まった尿は排水管２７から吸引されて徐々に排水タンク３２に排出される。筒部５２に十分な容積を備えた袋体６０を連結したことによって、尿を袋体６０に溜めておくことができ、排水管２７から排水タンク３２に尿を排出することで、尿を漏らさずに吸引・排出させることができる。
本実施形態においては筒部５２から洗浄水を流しながら排尿するから、洗浄水によって尿が洗い流され、清潔な状態で排尿することができる。尿とともに洗浄水が袋体６０に流れ込むが、袋体６０は十分な容積を備えていることと、排水管２７から排水することで吸引・排出が問題になることはない。
【００２３】
本実施形態の排尿装置は、洗浄水とともに排尿させるようにしたことによって、排尿時および排尿後に陰部が洗浄され、清潔な状態で排尿することができるという利点がある。また、使用に際しては、排尿器５０を陰部にあてがうだけで排尿できるから、取り扱いが簡便であり、寝たままでも使用することができ、病人あるいは老人等の介護用として簡便に使用することができる。また、操作が簡便であることから、寝具を汚したりせずに使用することが可能となる。また、排尿器５０の筒部５２を先端側が拡径した形状とし、側面形状で中央部が凹む湾曲形状とすることで女性用、男性用として共用することができる。
なお、洗浄水として温水を使用することもでき、収納ボックス１０の洗浄水貯溜タンク２５を収納する部位にヒータを設けておいて、洗浄水を加温するようにすることも可能である。
【００２４】
また、本実施形態の排尿装置は、１台の駆動モータ１６で給水ポンプ１８と排水ポンプ２０を駆動するように構成したこと、駆動モータ１６を挟んで給水ポンプ１８と排水ポンプ２０を配置し、洗浄水貯溜タンク２５を収納ボックス１０内に収納する構成としたことによって、装置がコンパクトに形成され、ベッドの近くに置いても邪魔にならず簡便に使用することができる。家庭内においては商用電源を使って使用することができ、自動車の車内で使用するときは、バッテリーを利用して使用することができる。装置が小型でコンパクトであるから、車内においても好適に使用することができ、病人や老人が同乗した際や、渋滞等の場合等に好適に使用することができる。
【００２５】
【発明の効果】
本発明に係る排尿装置は、上述したように、駆動モータおよび給水ポンプ、排水ポンプを収納ボックスに収納し、排尿器に送水管および排水管を連通させて取り付けることにより、清潔でかつ簡便な排尿装置として構成することができ、病人あるいは老人等の介護用として好適に使用することができる装置として提供することができる。
【図面の簡単な説明】
【図１】本発明に係る排尿装置の一実施形態の全体構成を示す説明図である。
【図２】収納ボックス内の各部の構成を示す説明図である。
【図３】排尿装置の流路の構成を示す説明図である。
【図４】排尿器を拡大して示す説明図である。
【符号の説明】
１０  収納ボックス
１２  仕切板
１４  開閉蓋
１６  駆動モータ
１８  給水ポンプ
２０  排水ポンプ
２５  洗浄水貯溜タンク
２６  送水管
２６ａ、２６ｂ  分岐管
２７  排水管
３０  配管
３０ａ  被覆チューブ
３２  排水タンク
３４  バイパス管
３５  調節弁
３８  遮蔽板
５０  排尿器
５２  筒部
５３  クッション材
５４  吐出口
５５ａ、５５ｂ  調節弁
６０  袋体
【図１】
2004242779.tif 000003
【図２】
2004242779.tif 000004
【図３】
2004242779.tif 000005
【図４】
2004242779.tif 000006